(57)【要約】【課題】巧みな表現と即時性とを両立可能とするフレーズ提示装置、フレーズ提示システム、フレーズ提示プログラムおよびフレーズ提示方法を提供する。【解決手段】複数のフレーズを記憶したデータベースにアクセスして、ユーザが端末装置に入力したメッセージに基づくクエリに関連付けられた２以上のフレーズを取得するフレーズ取得部と、前記取得された２以上のフレーズに対して優先順位を設定する優先順位設定部と、前記設定された優先順位を考慮して、前記取得された２以上のフレーズのうちの１以上のフレーズを選択するフレーズ選択部と、を備えるフレーズ提示装置が提供される。【選択図】図１
2019003328.tif 000002
【特許請求の範囲】
【請求項１】
複数のフレーズを記憶したデータベースにアクセスして、ユーザが端末装置に入力したメッセージに基づくクエリに関連付けられた２以上のフレーズを取得するフレーズ取得部と、
前記取得された２以上のフレーズに対して優先順位を設定する優先順位設定部と、
前記設定された優先順位を考慮して、前記取得された２以上のフレーズのうちの１以上のフレーズを選択するフレーズ選択部と、を備えるフレーズ提示装置。
【請求項２】
前記優先順位設定部は、当該フレーズ提示装置の利用者全体の傾向と、前記ユーザの傾向および嗜好と、を考慮して前記優先順位を設定する、請求項１に記載のフレーズ提示装置。
【請求項３】
前記クエリは、前記ユーザが前記端末装置に入力したメッセージのみならず、前記ユーザが別のユーザから受信したメッセージにも基づく、請求項１または２に記載のフレーズ提示装置。
【請求項４】
前記フレーズ選択部は、前記取得された２以上のフレーズのうちの複数のフレーズを選択し、そのうちの少なくとも１つは前記優先順位の高さに関わらず選択する、請求項１乃至３のいずれかに記載のフレーズ提示装置。
【請求項５】
請求項１乃至４のいずれかに記載のフレーズ提示装置と、
ユーザが入力したメッセージを前記フレーズ提示装置に送信することと、前記フレーズ選択部によって選択されたフレーズをディスプレイに表示することと、を行う制御部を有する端末装置と、を備えるフレーズ提示システム。
【請求項６】
コンピュータを、
複数のフレーズを記憶したデータベースにアクセスして、ユーザが端末装置に入力したメッセージに基づくクエリに関連付けられた２以上のフレーズを取得するフレーズ取得部と、
前記取得された２以上のフレーズに対して優先順位を設定する優先順位設定部と、
前記設定された優先順位を考慮して、前記取得された２以上のフレーズのうちの１以上のフレーズを選択するフレーズ選択部と、として機能させるフレーズ提示プログラム。
【請求項７】
ユーザが端末装置に入力したメッセージに基づいてクエリを生成するステップと、
複数のフレーズを記憶したデータベースにアクセスして、前記クエリに関連付けられた２以上のフレーズを取得するステップと、
前記取得された２以上のフレーズに対して優先順位を設定するステップと、
前記設定された優先順位を考慮して、前記取得された２以上のフレーズのうちの１以上のフレーズを選択するステップと、
前記選択されたフレーズを前記端末装置に表示するステップと、を備えるフレーズ提示方法。
【請求項８】
メッセージの送受信を行うメッセンジャーアプリを起動するステップを備え、
前記クエリを生成するステップは、前記メッセンジャーアプリにおいて前記ユーザが入力したメッセージに基づいて前記クエリを生成する、請求項７に記載のフレーズ提示方法。
【請求項９】
前記フレーズを選択するステップでは、複数のフレーズを選択し、
前記選択されたフレーズを前記端末装置に表示するステップでは、前記選択された複数のフレーズを前記端末装置に表示し、
当該フレーズ提示方法は、前記表示された複数のフレーズのうちの１つをメッセージの送受信相手に送信するステップを備える、請求項８に記載のフレーズ提示方法。
【発明の詳細な説明】
【技術分野】
【０００１】
本発明は、名言や名文などのフレーズを提示するフレーズ提示装置、フレーズ提示システム、フレーズ提示プログラムおよびフレーズ提示方法に関する。
【背景技術】
【０００２】
近年、スマートフォンやＰＣ上などでメッセンジャーアプリを利用してコミュニケーションをとることが多くなってきている。このようなコミュニケーションは、短時間でテンポよくメッセージのやり取りを進めること、すなわち即時性が重視される傾向にある。
【０００３】
その一方で、日本語には（日本語に限られるわけではないが）様々な表現があり、その表現を巧みに使い分けることによって想像力を刺激する豊かなコミュニケーションが可能となる。そのような表現を使うためには、適切な表現を考えたり調べたり思い出したりする時間が必要となる。
【先行技術文献】
【特許文献】
【０００４】
【特許文献１】特開２０１６−００４５６７号公報
【特許文献２】特開２０１７−０４９４２７号公報
【発明の概要】
【発明が解決しようとする課題】
【０００５】
本発明はこのような問題点に鑑みてなされたものであり、本発明の課題は、巧みな表現と即時性とを両立可能とするフレーズ提示装置、フレーズ提示システム、フレーズ提示プログラムおよびフレーズ提示方法を提供することである。
【課題を解決するための手段】
【０００６】
本発明の一態様によれば、複数のフレーズを記憶したデータベースにアクセスして、ユーザが端末装置に入力したメッセージに基づくクエリに関連付けられた２以上のフレーズを取得するフレーズ取得部と、前記取得された２以上のフレーズに対して優先順位を設定する優先順位設定部と、前記設定された優先順位を考慮して、前記取得された２以上のフレーズのうちの１以上のフレーズを選択するフレーズ選択部と、を備えるフレーズ提示装置が提供される。
ユーザが入力したメッセージに関するフレーズをフレーズ提示装置が取得して選択するため、ユーザ自身がフレーズ作成する必要がなく、適切なフレーズを素早く提示できる。
【０００７】
前記優先順位設定部は、当該フレーズ提示装置の利用者全体の傾向と、前記ユーザの傾向および嗜好と、を考慮して前記優先順位を設定してもよい。
これにより、ユーザの傾向や嗜好も反映したフレーズを選択できる。
【０００８】
前記クエリは、前記ユーザが前記端末装置に入力したメッセージのみならず、前記ユーザが別のユーザから受信したメッセージにも基づくものであってもよい。
これにより、文脈も考慮してフレーズを選択できる。
【０００９】
前記フレーズ選択部は、前記取得された２以上のフレーズのうちの複数のフレーズを選択し、そのうちの少なくとも１つは前記優先順位の高さに関わらず選択してもよい。
これにより、ユーザにとっても意外なフレーズを選択できる。
【００１０】
本発明の別の態様によれば、上記フレーズ提示装置と、ユーザが入力したメッセージを前記フレーズ提示装置に送信することと、前記フレーズ選択部によって選択されたフレーズをディスプレイに表示することと、を行う制御部を有する端末装置と、を備えるフレーズ提示システムが提供される。
【００１１】
本発明の別の態様によれば、コンピュータを、複数のフレーズを記憶したデータベースにアクセスして、ユーザが端末装置に入力したメッセージに基づくクエリに関連付けられた２以上のフレーズを取得するフレーズ取得部と、前記取得された２以上のフレーズに対して優先順位を設定する優先順位設定部と、前記設定された優先順位を考慮して、前記取得された２以上のフレーズのうちの１以上のフレーズを選択するフレーズ選択部と、として機能させるフレーズ提示プログラムが提供される。
【００１２】
本発明の別の態様によれば、ユーザが端末装置に入力したメッセージに基づいてクエリを生成するステップと、複数のフレーズを記憶したデータベースにアクセスして、前記クエリに関連付けられた２以上のフレーズを取得するステップと、前記取得された２以上のフレーズに対して優先順位を設定するステップと、前記設定された優先順位を考慮して、前記取得された２以上のフレーズのうちの１以上のフレーズを選択するステップと、前記選択されたフレーズを前記端末装置に表示するステップと、を備えるフレーズ提示方法が提供される。
【００１３】
メッセージの送受信を行うメッセンジャーアプリを起動するステップを備え、前記クエリを生成するステップは、前記メッセンジャーアプリにおいて前記ユーザが入力したメッセージに基づいて前記クエリを生成してもよい。
これにより、メッセンジャーアプリ上でフレーズを表示できる。
【００１４】
前記フレーズを選択するステップでは、複数のフレーズを選択し、前記選択されたフレーズを前記端末装置に表示するステップでは、前記選択された複数のフレーズを前記端末装置に表示し、当該フレーズ提示方法は、前記表示された複数のフレーズのうちの１つをメッセージの送受信相手に送信するステップを備えてもよい。
これにより、表示されたフレーズを相手に送信でき、スムーズなコミュニケーションが可能となる。
【発明の効果】
【００１５】
巧みな表現と即時性とが両立する。
【図面の簡単な説明】
【００１６】
【図１】一実施形態に係るフレーズ提示システムの概略構成を示すブロック図。
【図２Ａ】メッセンジャーアプリを起動した際にディスプレイ１２に表示されるメッセージ送受信画面の一例を示す図。
【図２Ｂ】メッセンジャーアプリを起動した際にディスプレイ１２に表示されるメッセージ送受信画面の一例を示す図。
【図２Ｃ】メッセンジャーアプリを起動した際にディスプレイ１２に表示されるメッセージ送受信画面の一例を示す図。
【図３】フレーズデータベース２３の構造の一例を示す図。
【図４】フレーズ提示システムの処理動作の一例を示すシーケンス図。
【図５】メッセージ送受信画面の一例を示す図。
【図６】図５に引き続くメッセージ送受信画面の一例を示す図。
【図７】図６に引き続くメッセージ送受信画面の一例を示す図。
【図８】図７に引き続くメッセージ送受信画面の一例を示す図。
【発明を実施するための形態】
【００１７】
以下、本発明に係る実施形態について、図面を参照しながら具体的に説明する。
【００１８】
図１は、一実施形態に係るフレーズ提示システムの概略構成を示すブロック図である。フレーズ提示システムは、端末装置１と、フレーズ提示装置２とを備えている。なお、フレーズとは、名言、名文、格言、金言、発言、せりふ、キャッチコピー、流行語など任意の表現を含み得るが、以下では主に名言について説明する。
【００１９】
端末装置１は、例えば特定のユーザが用いるスマートフォンなどであり、タッチパネル１１と、ディスプレイ１２と、フレーズ提示装置２や他の端末装置１と情報の送受信を行う通信部１３と、制御部１４とを有する。本端末装置１はメッセンジャーアプリ用のプログラム（不図示）を記憶している。制御部１４がこのプログラムを実行することによってメッセンジャーアプリが起動し、端末装置１のユーザが他者とメッセージの送受信を行えるようになる。
以下では、主に端末装置１がスマートフォンであって、タッチパネル１１を使ってメッセンジャーアプリを利用することを説明するが、マイクその他の入力インターフェースを使ってもよい。また、端末装置１がＰＣである場合、マウスやキーボードなどの入力インターフェースを使ってもよい。
【００２０】
図２Ａ〜図２Ｃは、メッセンジャーアプリを起動した際にディスプレイ１２に表示されるメッセージ送受信画面の一例を示す図である。メッセージ送受信画面は、メッセージを送受信する相手を示す情報（名前、ニックネーム、アイコンなど）を含んでいる。また、メッセージ送受信画面は、相手から受信済みのメッセージ（以下、受信メッセージという）を表示する受信メッセージ表示領域４１と、ユーザから相手へ送信済みのメッセージ（以下、送信メッセージという）を表示する送信メッセージ表示領域４２とを含む。受信メッセージ表示領域４１と送信メッセージ表示領域４２は異なる態様で表示され、前者と後者とで背景色が異なっていたり、前者と後者とで吹き出しが反対向きであったりする。
【００２１】
また、メッセージ送受信画面は相手に送信するメッセージを作成するためのメッセージ入力領域４３を含む（図２Ａ）。ユーザがタッチパネル１１におけるメッセージ入力領域４３に対応する部分をタップする（簡略化して「メッセージ入力領域４３をタップする」とも表記する。以下同じ）と、制御部１４はメッセージ入力領域４３の表示位置を上方に移動させ、その下に仮想キーボード４４を表示する（図２Ｂ）。
【００２２】
ユーザが仮想キーボード４４をタップすると、制御部１４はタップされた文字をメッセージ入力領域４３に表示する。このようにしてユーザはメッセージを生成できる。なお、メッセージは、平仮名、片仮名、漢字、アルファベットといった文字から構成されるテキストに加え、記号、絵文字、スタンプなどを含んでいてもよい。メッセージ入力領域４３に表示されたメッセージは、相手には未送信ではあるが、ユーザが相手に送信しようとしているメッセージと言える。
【００２３】
ユーザがメッセージ送信アイコン４５をタップすると、制御部１４は仮想キーボード４４を非表示とした上でメッセージ入力領域４３に入力されたメッセージを送信メッセージ表示領域４２に追加表示し（図２Ｃ）、さらに同メッセージを通信部１３からメッセージ送受信サーバ（不図示）に送信する。このメッセージ送受信サーバはユーザの端末装置１からのメッセージを相手の端末装置１へ送信する。このようにして、メッセンジャーアプリ上で相手とメッセージを送受信できる。
【００２４】
以上の動作に加え、本実施形態の制御部１４は、受信メッセージ、送信メッセージおよびメッセージ入力領域４３に入力されたメッセージの少なくとも一部を通信部１３からフレーズ提示装置２に送信する。制御部１４はユーザや相手を特定する情報も合わせてフレーズ提示装置２に送信してもよい。また、制御部１４は、端末装置１から送信された受信メッセージ、送信メッセージおよびメッセージ入力領域４３に入力されたメッセージの少なくとも一部に応じた名言をフレーズ提示装置２から受信し、この名言をディスプレイ１２に表示する。この点は後に詳しく説明する。
【００２５】
図１に戻り、フレーズ提示装置２は、例えばサーバであり、端末装置１と情報の送受信を行う通信部２１と、制御部２２と、フレーズデータベース２３とを有する。制御部２２は、クエリ生成部２２１と、フレーズ取得部２２２と、優先順位設定部２２３と、フレーズ選択部２２４とを有する。制御部２２における各部の一部または全部がハードウェアで実装されてもよいし、ソフトウェアで実現されてもよい。後者の場合、制御部２２が名言提示プログラム（不図示）を実行することによって各部が実現される。
【００２６】
クエリ生成部２２１は端末装置１から受信したメッセージ（受信メッセージ、送信メッセージおよびメッセージ入力領域４３に入力されたメッセージの少なくとも一部）に基づいてクエリを生成する。クエリは、端末装置１からのメッセージそのものでもよいし、その一部でもよいし、メッセージを解析して得られるものでもよい。クエリ生成部２２１は、例えば予め設定された複数のクエリのうち、端末装置１からのメッセージに基づいて（例えば人工知能を用いて）最も適切な１つのクエリを選択してもよい。
【００２７】
フレーズ取得部２２２は、フレーズデータベース２３にアクセスして、生成されたクエリに関連付けられた２以上の名言を取得する。取得された名言はユーザに提示される名言の一次候補となる。ここで、フレーズデータベース２３の構造を説明する。
【００２８】
図３は、フレーズデータベース２３の構造の一例を示す図である。フレーズデータベース２３は多数の名言を記憶した知識データであり、複数の名言のそれぞれに対して１または複数のクエリが関連付けられている。また、関連情報として、各名言の出典（作品名、発言者など）、出典元の作品（小説、漫画、映画、ＤＶＤなど）を購入するためのＥＣサイトのＵＲＬなどが関連付けられていてもよい。図３の例では、「動揺は達人をも殺す。」という名言に対して、「しっかり」、「動揺」というクエリと、その名言の発言者である「国木田独歩」とが関連付けられている。図３には５つの名言のみを例示しているが、実際にはフレーズデータベース２３はより多くの名言を記憶している。
【００２９】
図１に戻り、優先順位設定部２２３はフレーズ取得部２２２によって取得された２以上の名言に対して優先順位を設定する。優先順位設定部２２３は人工知能を用いて優先順位を設定してもよい。具体的な構成例として、優先順位設定部２２３は、全体学習器２２３１と、パーソナル学習器２２３２とを有してもよい。全体学習器２２３１は、本システム利用者全体の傾向（どのクエリに対して、どの名言が実際に使用されたか等）を予め学習している。パーソナル学習器２２３２は、各ユーザの傾向に加え、各ユーザの嗜好（映画、アニメ、ドラマといったジャンルのうちいずれを好むか等）をユーザごとに予め学習している。このような嗜好は、例えばユーザによる端末装置１の使用履歴、より具体的な例としてはＳＮＳやＷｅｂの閲覧履歴等に基づいて取得されてよい。
【００３０】
この場合、フレーズ取得部２２２が取得した複数の名言に対して、まず全体学習器２２３１が優先順位を設定する。続いて、端末装置１からの情報によって特定されるユーザ（および／または相手）に応じてパーソナル学習器２２３２が優先順位を設定する。このように２段階で優先順位を設定することで、本システム利用者全体の傾向のみならず、当該ユーザ（および／または相手）の傾向・嗜好を考慮した適切な名言を提示可能となる。
【００３１】
フレーズ選択部２２４は、優先順位設定部２２３によって設定された優先順位を考慮して、フレーズ取得部２２２が取得した複数の名言のうちの１以上を選択する。選択された名言は実際にユーザに提示される名言の最終候補となる。フレーズ選択部２２４は優先順位が高い順に所定数の名言を選択してもよい。また、フレーズ選択部２２４は、優先順位が高いものに加え、あえて優先順位が高くないものをいくつかランダムに選択してもよい。優先順位の高さに関わらずに選択を行うことによりユーザ自身が認識していない名言を提示するなど、意外性を持たせることができる。
【００３２】
フレーズ選択部２２４は選択した名言を通信部２１からユーザの端末装置１に送信（返送）する。この時、フレーズ選択部２２４はフレーズデータベース２３を参照して名言の関連情報も合わせて端末装置１に送信してもよい。
図４は、フレーズ提示システムの処理動作の一例を示すシーケンス図である。具体例を示しながら、フレーズ提示システムの処理動作を説明する。
まず、端末装置１に対するユーザ操作に応答して、制御部１４はメッセンジャーアプリを起動し（ステップＳ１）、相手とのメッセージ送受信が行われる。
【００３３】
図５は、メッセージ送受信画面の一例を示す図である。この例では、端末装置１が相手（みちえ）から受信した「プレゼン、緊張してきました・・・」とのメッセージが受信メッセージ表示領域４１に表示されている。これに対して、端末装置１のユーザが「しっかり」とのメッセージをメッセージ入力領域４３に入力したところを示している。
【００３４】
このように、端末装置１がユーザからメッセージを受け付けると（図４のステップＳ２）、制御部１４は、受信メッセージ、送信メッセージおよびメッセージ入力領域４３に入力されたメッセージの少なくとも一部をフレーズ提示装置２に送信する（ステップＳ３）。本例では、相手から受信した「プレゼン、緊張してきました・・・」、および／または、メッセージ入力領域４３に入力された「しっかり」の少なくとも一方が送信されてよい。
【００３５】
望ましくは、制御部１４は、メッセージ入力領域４３に入力されたメッセージと、その直前の受信メッセージを送信する。これにより、ユーザが真に伝えたい感情などを文脈を考慮して精度よく反映させることができる。
【００３６】
なお、制御部１４が受信メッセージ等をフレーズ提示装置２に送信するタイミングは適宜定めることができる。例えば、所定の名言提示アイコン（不図示）を設け、ユーザによってこの名言提示アイコンがタップされたタイミングで送信されてもよい。あるいは、メッセージ入力領域４３に所定数の文字が入力されたタイミングや、予め設定されたテキストと合致するテキストが入力されたタイミングで送信されてもよい。
【００３７】
フレーズ提示装置２のクエリ生成部２２１は、端末装置１からメッセージを受信し、このメッセージに基づいてクエリを生成する（ステップＳ１１）。本例では、ユーザが送信しようとしている「しっかり」というメッセージから、あるいは、相手から受信した「プレゼン、緊張してきました・・・」というメッセージを解釈して、あるいは、その両方に基づいてクエリ生成部２２１は「しっかり」というクエリを生成したとする。
【００３８】
続いて、フレーズ取得部２２２は生成されたクエリに関連付けられた複数の名言をフレーズデータベース２３から取得する（ステップＳ１２）。本例では、「しっかり」というクエリに関連付けられた名言として、フレーズ取得部２２２は図３に例示したフレーズデータベース２３から次の４つの名言を取得する。なお、実際にはフレーズ取得部２２２はより多くの（例えば数百個）名言を取得する。
【００３９】
「動揺は達人をも殺す。」（以下、名言１ともいう）
「てめぇのことは気に食わねぇが信頼はしている・・・あとは任せた。」（以下、名言２ともいう）
「まず飛び出すことだ。思案はそれからでいい。」（以下、名言３ともいう）
「人を信じよ、しかし、その百倍も自らを信じよ。」（以下、名言４ともいう）
【００４０】
その後、優先順位設定部２２３は取得された名言１〜４に対して優先順位を設定する（ステップＳ１３）。例えば、優先順位設定部２２３における全体学習器２２３１が、名言１，２，３，４の順に高い優先順位を設定したとする。続いて、端末装置１のユーザが漫画を好む嗜好であったとすると、優先順位設定部２２３におけるパーソナル学習器２２３２は、発言者が漫画家である名言４の優先順位を最上位に設定することとなる。その結果、優先順位は名言４，１，２，３の順となる。
【００４１】
そして、フレーズ選択部２２４は優先順位に基づいて所定数の名言を選択する（ステップＳ１４）。選択する名言数が２である場合、例えばフレーズ選択部２２４は、優先順位が最も高い名言４と、ランダムな１つとして名言１を選択する。そして、フレーズ選択部２２４は選択した名言４，１と、必要に応じて各名言の関連情報を端末装置１に送信する（ステップＳ１５）。
【００４２】
端末装置１における制御部１４は、フレーズ提示装置２からの名言を受信し、これをディスプレイ１２に表示する（ステップＳ４）。本例では、ディスプレイ１２に名言４，１が表示される。
【００４３】
図６は、図５に引き続くメッセージ送受信画面の一例を示す図である。メッセージ送受信画面はメッセージ入力領域４３の上方に配置された名言表示領域４６を含む。制御部１４はフレーズ提示装置２から受信した名言を選択可能な形式で名言表示領域４６に表示する。例えば、制御部１４は、優先順位が高い名言４「人を信じよ、しかし、その百倍も自らを信じよ。」を上側に、優先順位が低い名言１「動揺は達人をも殺す。」を下側に表示する。
【００４４】
なお、名言に関連情報がある場合、関連情報に応じた表示を行ってもよい。例えば、名言の発言者を併記したり、名言の出典元の作品を購入するためのＥＣサイトのＵＲＬを併記したりしてもよい。
【００４５】
続いて、表示された名言をユーザがタップすると、制御部１４は名言の選択を受け付け（ステップＳ５）、選択された名言をメッセージ入力領域４３に入力する（ステップＳ６）。本例では、図６においてユーザが名言１をタップしたとする。この場合、図７に示すように、制御部１４は名言１をメッセージ送受信画面のメッセージ入力領域４３に入力して表示する。なお、このときユーザによって選択された名言を示す情報をフレーズ提示装置２にフィードバックし、全体学習器２２３１あるいはパーソナル学習器２２３２の学習に用いてもよい。
【００４６】
その後、ユーザがメッセージ送信アイコン４５をタップすると、制御部１４はメッセージ入力領域４３に入力された名言を送信メッセージ表示領域４２に表示するとともに、名言を相手の端末装置１へ送信する（ステップＳ７、図８）。
【００４７】
このように、本実施形態では、フレーズ提示装置２によってメッセージに基づく名言が選択されるため、ユーザ自身が名言を調べたり思い出したりする必要がなく、適切な名言を用いて機智に富んだ豊かなコミュニケーションが可能となる。
【００４８】
なお、本フレーズ提示システムの実装態様は種々考えられる。例えば、フレーズ提示装置２内のクエリ生成部２２１の機能を、端末装置１の制御部１４が行ってもよい。この場合、制御部１４がクエリを生成してフレーズ提示装置２に送信する。また、フレーズ提示装置２内の制御部２２および名言ＤＢを端末装置１に設け、端末装置１内で完結して処理を行うようにしてもよい。
【００４９】
また、メッセージの送受信を行う通常のメッセンジャーアプリに対して、名言を提示する機能を追加的に組み込めるようにしてもよい。この場合、メッセンジャーアプリの提供者とフレーズ提示装置２の提供者とが共通していてもよいし、異なっていてもよい。
【００５０】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００５１】
１  端末装置
１１  タッチパネル
１２  ディスプレイ
１３  通信部
１４  制御部
２  フレーズ提示装置
２１  通信部
２２  制御部
２２１  クエリ生成部
２２２  フレーズ取得部
２２３  優先順位設定部
２２３１  全体学習器
２２３２  パーソナル学習器
２２４  フレーズ選択部
２３  フレーズデータベース
４１  受信メッセージ表示領域
４２  送信メッセージ表示領域
４３  メッセージ入力領域
４４  仮想キーボード
４５  メッセージ送信アイコン
４６  名言表示領域
【図１】
2019003328.tif 000003
【図２Ａ】
2019003328.tif 000004
【図２Ｂ】
2019003328.tif 000005
【図２Ｃ】
2019003328.tif 000006
【図３】
2019003328.tif 000007
【図４】
2019003328.tif 000008
【図５】
2019003328.tif 000009
【図６】
2019003328.tif 000010
【図７】
2019003328.tif 000011
【図８】
2019003328.tif 000012